【事件の表示】
　平成１１年特許願第２４８３２０号「孔版印刷紫用Ｗ／Ｏ型エマルションインキ」拒絶査定不服審判事件〔平成１３年３月２１日出願公開、特開２００１−７２９１１〕について、次のとおり審決する。
【結　論】
　本件審判の請求は、成り立たない。
【理　由】
第１　手続の経緯
　本願は、平成１１年９月２日に出願され、平成１９年７月２３日付けで拒絶理由が通知され、同年９月２１日に意見書及び手続補正書が提出され、同年１０月３０日付けで再度拒絶理由が通知され、同年１２月１８日に手続補正書が提出され、さらに平成２０年３月２１日付けで拒絶理由が通知され、同年５月１２日付けで意見書及び手続補正書が提出されたが、同年１０月１７日付けで拒絶査定がされた。これに対して同年１１月１８日に審判が請求されるとともに手続補正書が提出された後、平成２２年１２月３日付けで審尋がされ、平成２３年２月４日に回答書が提出されたものである。
　
第２　平成２０年１１月１８日付け手続補正についての補正の却下の決定
［補正の却下の決定の結論］
　　平成２０年１１月１８日付け手続補正を却下する。　
　
［理由］
１　補正の内容
　平成２０年１１月１８日付けの手続補正（以下、「本件補正」という。また、補正された明細書を「本件補正明細書」という。）は、その本件補正前の請求項１（平成２０年５月１２日の手続補正後のもの）である、
「油相１０〜９０重量％と水相９０〜１０重量％によって構成されるＷ／Ｏ型エマルションにおいて、主着色剤として、下記構造式で表される、ナフトールＡＳ系モノアゾ、及びキナクリドンから選択された顔料を油相あるいは水相中に含有し、かつ、水相に硫酸マグネシウム塩を水相重量に対して０．１〜２重量％含有してなることを特徴とする孔版印刷紫用Ｗ／Ｏ型エマルションインキ。
・ナフト−ルＡＳ系モノアゾ系顔料例１（審決注：化学式は省略）
・キナクリドン系顔料例１（審決注：化学式は省略）
・キナクリドン系顔料例２（審決注：化学式は省略）
・キナクリドン系顔料例３（審決注：化学式は省略）」
を、
「油相１０〜９０重量％と水相９０〜１０重量％によって構成されるＷ／Ｏ型エマルションにおいて、下記構造式で表されるキナクリドン顔料を油相に、インキ重量に対して２〜１０重量％含有し、かつ、水相に硫酸マグネシウム塩を水相重量に対して０．１〜２重量％含有してなることを特徴とする孔版印刷紫用Ｗ／Ｏ型エマルションインキ。
【化１】
・キナクリドン系顔料例１（審決注：補正前と同じ。化学式は省略）
・キナクリドン系顔料例２（審決注：補正前と同じ。化学式は省略）
・キナクリドン系顔料例３（審決注：補正前と同じ。化学式は省略）」
（以下、「本件補正発明」という。）
とする補正を含むものである。
　
２　目的要件について
　上記請求項１についての補正は、「主着色剤として、下記構造式で表される、ナフトールＡＳ系モノアゾ、及びキナクリドンから選択された顔料を油相あるいは水相中に含有し」を「下記構造式で表されるキナクリドン顔料を油相に、インキ重量に対して２〜１０重量％含有し、」と補正するものである。
　この補正は、本件補正前の請求項１の発明を特定するために必要な事項である「下記構造式で表される、ナフトールＡＳ系モノアゾ、及びキナクリドンから選択された顔料」を「下記構造式で表されるキナクリドン顔料」に、そして、「主着色剤として、…顔料を油相あるいは水相中」に含有するものを、「顔料を油相中」に含有するものと限定し、さらに、キナクリドン顔料の含有量を「インキ重量に対して２〜１０重量％」と限定するものであって、本件補正前の請求項１に係る発明と本件補正発明の利用分野及び解決しようとする課題が同一であると認められるから、請求項１についての補正は、平成１８年法律第５５号改正附則第３条第１項によりなお従前の例によるとされる同法による改正前の特許法（以下、「平成１８年改正前特許法」という。）第１７条の２第４項第２号に規定する特許請求の範囲の減縮を目的とするものに該当する。
　
３　独立特許要件について
　次いで、本件補正発明が特許出願の際独立して特許を受けることができるものであるか（請求項１についての補正が特許法第１７条の２第５項において準用する同法第１２６条第５項の規定に適合するか）について検討する。
　
［進歩性について］
　本件補正発明は、以下のとおり、原査定の拒絶理由で引用した本出願前に頒布された下記刊行物に記載された発明及び周知技術に基づいて当業者が容易に発明をすることができたものであるから、特許法第２９条第２項の規定により特許を受けることができないものである。
　
（１）　刊行物及びその記載事項
ア　刊行物
・特開平８−３５０１号公報
（原査定の拒絶の理由で引用した「文献２」。以下、「刊行物１」という。）
・（社）色材協会編集「色材工学ハンドブック」第３８５頁、第３９３頁、第４０２頁（株式会社　朝倉書店　初版第１刷　１９８９年１１月２５日発行）
（同「文献６」。以下、「刊行物２」という。）
　
イ　刊行物の記載事項
（ア）　刊行物１
（ア−１）「【特許請求の範囲】
【請求項１】　紫外線硬化型インキとＨＬＢ１０以下の非イオン系界面活性剤とからなる油相中に水相が微分散されてなる紫外線硬化型孔版印刷用エマルションインキ。」
（ア−２）「【請求項２】　水相が全エマルションインキの２０〜８５重量％である請求項１記載の紫外線硬化型孔版印刷用エマルションインキ。」
（ア−３）「【０００５】本発明の孔版印刷用インキは、油相中に水相が微分散した油中水型エマルションインキである。油相は、紫外線硬化型インキに非イオン系界面活性剤を添加したものである。」
（ア−４）「【０００９】着色材としては、カーボンブラック、二酸化チタン、紺青、等の無機顔料、フタロシアニン顔料、不溶性アゾ顔料、溶性アゾ顔料、キナクリドン顔料、等の有機顔料を使用することができる。着色材の含有量は全インキを基準として、１〜３０重量％である。」
（ア−５）「【００１０】水相は主として、水からなり、全インキ中の８５〜２０重量％を構成する。水相中にはエマルションとしての安定性を付与する目的で、必要に応じて金属塩等の電解質、水の蒸発防止剤、水の凍結防止剤を用いる事ができる。
　又、エマルションの安定性を付与する目的で加える電解質としては、たとえば塩化ナトリウム、硫酸ナトリウム、リンサン水素ナトリウム、ホウ酸ナトリウム、等のナトリウム塩や、硫酸マグネシウム、塩化マグネシウム、硝酸マグネシウム、およびそれらの水和物等がある。」
（ア−６）「【００１１】本発明の孔版印刷用インキは、着色材を油層成分の全部あるいは一部に添加し、三本ロールミル、サンドミル、等の分散機で練肉、分散し、残りの油相成分を添加後、水相を除々に添加しながら、ホモミキサー、サンドミル、ディスパー、等の分散機で油中水型エマルションとする。水滴径は安定性の点から、１０μ以下が望ましい。以下、実施例をもって説明する。例中部とは重量部を示す。」
（ア−７）「【００１２】
【実施例】
実施例１
油相　Ａ　　　　　　　　　　　　　　　　　　　　　　　　　　　　　
　デカグリセリルペンタオレエート（ＨＬＢ　３．５）　　　１６．０部
　ＳＰ−１５１９Ｘ２（昭和高分子社製エポキシアクリレート）８．０部
　ＫＡＹＡＲＡＤ　Ｒ６０４（日本化薬社製（アクリル酸エステル）
　　　　　　　　　　　　　　　　　　　　　　　　　　　　１５．５部
　ＫＡＹＡＲＡＤ　ＤＰＨＡ（日本化薬社製（アクリル酸エステル）
　　　　　　　　　　　　　　　　　　　　　　　　　　　　６３．０部
　ファーネスカーボンブラック　　　　　　　　　　　　　　　４．０部
　イルガキュアー９０７（チバガイギー社製光硬化開始剤）　　４．０部
　カヤキュアーＤＥＴＸ（日本化薬社製光硬化開始剤）　　　　１．０部
　ハイドロキノン　　　　　　　　　　　　　　　　　　　　　０．５部
　以上を混合後、サンドミルで練肉し、油相Ａとする。
　この油相Ａ３１．０部に対しあらかじめ硫酸マグネシウム７水和物１．０部、グリセリン１０．０部、ｐ−オキシ安息香酸ブチル（防腐、防黴剤）０．２部、水５７．８部を混合した水相を除々に加えながら、ディスパーで攪拌し、孔版印刷用インキＡを得た。」
　
（イ）　刊行物２
（イ−１）「ピグメントレッド122　C.I. Pigment Red 122  C.I.73915　CAS 980-26-7  化審5-3261
（審決注：化学式は省略）　Ｃ22Ｈ16Ｎ2Ｏ2＝340.38
　一般名：ジメチルキナクリドン（Dimethyl Quinacridone）
　ジエチルスクシニルスクシナートとｐ−トルイジンを原料とし，縮合・閉環・酸化の各反応を行ってジメチルキナクリドンを合成し，顔料化してつくられる．色調は鮮明な赤紫色で，着色力大きく，銅フタロシアニン顔料に匹敵する堅ろう性を有する高級顔料で，幅広い用途に使用されている．特にプラスチック，グラビアインキ，顔料樹脂捺染には有用な顔料である．
　一般的性質：耐光性 (1-8) 濃色8，淡色7；耐熱性 (1-5) 5；耐溶剤 (1-5)エタノール5，酢酸ブチル5，キシレン5，ＤＯＰ5，酸5，アルカリ5．
　用途：塩化ビニル樹脂，ポリオレフィン，グラビアインキ，金属印刷インキ，顔料樹脂捺染，塗料，その他．○P（審決注：○の中にP）．」（第３８５頁）
（イ−２）「ピグメントレッド209　C.I. Pigment Red 209  C.I.73905　CAS 3089-17-6  化審5-5201
（審決注：化学式は省略）　Ｃ20Ｈ10Ｃｌ2Ｎ2Ｏ2＝381.22
　一般名：ジクロロキナクリドン（dichloro quinacridone）
　鮮明な赤紫色顔料で，諸耐性に優れる．
　一般的性質：耐光性 (1-8) 8；耐熱性 (1-5) 5；耐溶剤性 (1-5)エタノール5，酢酸ブチル5，キシレン5，酸5，アルカリ5．
　用途：塗料，プラスチック，印刷インキ．」（第３９３頁）
（イ−３）「ピグメントバイオレット19　C.I. Pigment Violet 19  C.I.46500　CAS 1047-16-1  化審5-3291
（審決注：化学式は省略）　Ｃ20Ｈ12Ｎ2Ｏ2＝312.33
　一般名：キナクリドン（Quinacridone）
　キナクリドンは同質多形の物質で，α，β，γの三つの代表的な結晶形が存在する．顔料としてはβ形とγ形が有用で，β形は赤味紫色，γ形は赤色を呈する．この顔料はジエチルスクシニルスクシナートとアニリンを主原料とし，縮合・閉環・酸化の反応を行いキナクリドン粗製品を合成し，目的の結晶形への転移処理および粒子径を調整する顔料化処理を行って製造する．
　キナクリドンレッド（γ形）およびキナクリドンバイオレット（β形）はいずれも色相は鮮明で，銅フタロシアニン顔料にも匹敵する優れた堅ろう性を有し，赤，紫色の代表的な高級顔料である．キナクリドンレッドには粒子径の異なる二つの顔料がある．…
　一般的性質：耐光性 (1-8) 濃色8，淡色7〜8；耐熱性 (1-5) 4〜5；耐溶剤性 (1-5)エタノール5，酢酸ブチル5，キシレン5，あまに油5，ＤＯＰ5，酸5，アルカリ5．
　用途：塗料，プラスチック，グラビアインキ，金属印刷インキ，建材，その他．○P（審決注：○の中にP）．」（第４０２頁）
　
（２）　周知技術を示す文献及びその記載事項
・特開平１０−２５９３４１号公報（以下、「周知文献１」という。）
・特開平１０−２４５５１６号公報（以下、「周知文献２」という。）
・特開平７−１５００９１号公報（以下、「周知文献３」という。）
・特開平１１−１６５０号公報（以下、「周知文献４」という。）
　
（ウ）　周知文献１
　周知文献１には以下の記載がされている。
（ウ−１）「【特許請求の範囲】
【請求項１】　油相１０〜９０重量％と水相９０〜１０重量％によって構成されるＷ／Ｏ型エマルションにおいて、融点若しくは凝固点が２０〜５５℃である油脂、ロウ及びアルコールの少なくとも１種を選択的にインキ油相中にインキ全重量に対して５重量％以上含有してなることを特徴とする孔版印刷用Ｗ／Ｏ型エマルションインキ。」
（ウ−２）「【００１１】
【発明が解決しようとする課題】従って、本発明の課題は、用紙巻き上がりを大幅に改善し、且つ安定性の高いＷ／Ｏ型エマルションインキを提供すること、並びに印刷環境に左右されずに良好な印刷物（高い画像濃度を有し、裏移りの少ない印刷物）を得ることができる孔版印刷方法を提供することにある。」
（ウ−３）「【００３２】水相に添加される電解質は、エマルションの安定性を高めるために添加されるものである。従って、該電解質にはエマルションの安定度向上に有効な離液順列が高いイオンで構成された電解質を添加するのがよい。離液順列の高い陰イオンは、クエン酸イオン、酒石酸イオン、硫酸イオン、酢酸イオン等であり、離液順列が高い陽イオンは、アルカリ金属イオンやアルカリ土類金層（「属」の誤記と認める。）イオンであることから、ここで添加される電解質としては、少なくとも陰イオンか陽イオンの一方が前記イオンよりなる塩が好ましい。従ってここで添加される電解質としては、硫酸マグネシウム、硫酸ナトリウム、クエン酸ナトリウム、リン酸水素ナトリウム、ホウ酸ナトリウム、酢酸ナトリウム等が好ましく、その添加量は水相の０．１〜２．０重量％、好ましくは０．５〜１．５重量％である。電解質の添加量が水相の０．１重量％未満では安定性に効果が認められなく、逆に２重量％より多く添加してもそれ以上のインキ安定性の改善は認められない。」
（ウ−４）「【００４２】
実施例１
〈油相組成〉
　　着色剤　　ファーネスカーボン　　　　　　　　　６．５部
　　　　　　　フタロシアニンブルー　　　　　　　　０．５部
　　分散剤　　アルミニウムキレート化合物　　　　　１．５部
　　オイル　　流動パラフィン　　　　　　　　　　１６．５部
　　油脂、ロウ、アルコール
　　　　　パラフィンワックス（融点４４℃）　　　　６．０部
　　界面活性剤　ソルビタンセスキオレエート　　　　４．０部
　　計　　　　　　　　　　　　　　　　　　　　　３５．０部
【００４３】
　〈水相組成〉
　　水　　　　　イオン交換水　　　　　　　　　　５８．８部
　　電解質　　　硫酸マグネシューム　　　　　　　　１．２部
　　凍結防止剤　グリセリン　　　　　　　　　　　　５．０部
　　計　　　　　　　　　　　　　　　　　　　　　６５．０部」
（ウ−５）「【００６６】〈評価〉　実施例１〜４及び比較例１〜４の孔版印刷用Ｗ／Ｏ型エマルションインキについて、下記評価を行った。それらの結果を表２に示す。
…
【００６８】（ロ）高温保存　
インキを６０℃の環境下に保存し、２ヶ月経過後に取り出し、インキの外観を目視し、下記評価基準によって評価した。
【表１】
┏━━━━━━━━━━━━━━━━━━━━━━━━━━━━━━━┓
┃　　　　　　　　　　インキ高温安定性評価基準　　　　　　　　　┃
┣━━━┳━━━━━━━━━━━━━━━━━━━━━━━━┳━━┫
┃ランク┃　　　　　　　　インキ外観　　　　　　　　　　　┃評価┃
┣━━━╋━━━━━━━━━━━━━━━━━━━━━━━━╋━━┫
┃　１　┃油、水共に分離しており、印刷不可能な状態　　　　┃×　┃
┣━━━╋━━━━━━━━━━━━━━━━━━━━━━━━╋━━┫
┃　２　┃油が分離し、印刷可能であるが画像品質（紙へのイン┃△　┃
┃　　　┃キ付着量、画像濃度等）に影響を与える状態　　　　┃　　┃
┣━━━╋━━━━━━━━━━━━━━━━━━━━━━━━╋━━┫
┃　３　┃油が若干浸み出ているが印刷及び画像品質には問題な┃○　┃
┃　　　┃い状態　　　　　　　　　　　　　　　　　　　　　┃　　┃
┣━━━╋━━━━━━━━━━━━━━━━━━━━━━━━╋━━┫
┃　４　┃油、水分離が全く認められない状態　　　　　　　　┃◎　┃
┗━━━┻━━━━━━━━━━━━━━━━━━━━━━━━┻━━┛」
　
（エ）　周知文献２
　周知文献２には以下の記載がされている。
（エ−１）「【特許請求の範囲】
【請求項１】　油相３０〜５０重量％と水相７０〜５０重量％によって構成されるＷ／Ｏ型エマルションにおいて、ヨウ素価が１００以下で且つ凝固点が０℃以下である植物油の少なくとも１種を油相中に該油相の５重量％以上含有してなることを特徴とする孔版印刷用Ｗ／Ｏ型エマルションインキ。」
（エ−２）「【請求項２】　前記水相中に該水相の０．１〜２．０重量％の電解質を含有してなることを特徴とする請求項１記載の孔版印刷用Ｗ／Ｏ型エマルションインキ。」
（エ−３）「【０００１】
【発明の属する技術分野】本発明は、孔版印刷用Ｗ／Ｏ型エマルションインキに関し、詳しくは印刷時のインキ検知を良好に維持し、且つ高画像濃度、インキ安定性向上を可能にした孔版印刷用Ｗ／Ｏ型エマルションインキに関する。」
（エ−４）「【０００９】本発明の孔版印刷用Ｗ／Ｏ型エマルションインキは、ヨウ素価が１００以下で且つ凝固点が０℃以下である植物油の少なくとも１種を油相中に該油相の５重量％以上含有してなるものとしたことから、油相量３０〜５０重量％の油相量の多い系においても、インキ貯留部のインキ量を低減することが出来るものとなり、その結果、印刷時のインキ検知を良好に保持し、且つ高画像濃度を得ることが可能となる。また、水相への電解質添加は、Ｗ／Ｏ型エマルションインキの安定性のために必須であるが、電解質添加によりインキ貯留部のインキ量は増大するという欠点がある。しかし、本エマルションインキにおいては、油相への植物油の添加により、インキ貯留部のインキ量増大化を抑制できるようになり、その結果、印刷時のインキ検知を良好に保持し、且つインキ安定性に優れたものとなる。」
（エ−５）「【００１３】また、本発明の孔版印刷用Ｗ／Ｏ型エマルションインキは、水相中に該水相の０．１〜２．０重量％の電解質を含有してなることが好ましい。前述したように、水相への電解質添加はＷ／Ｏ型エマルションインキの安定性のために必須であるが、電解質添加によりインキ貯留部のインキ量は増える。これは、水相への電解質添加によるＷ／Ｏ型エマルションインキの静電容量の低下によるものと思われるが、本発明においては植物油が存在しているため、インキの貯蔵部のインキ量増大が抑制され、印刷時のインキ検知を良好に保持すると共にインキの安定性を高く保持することができる。電解質は水相中の濃度が０．１〜２．０重量％、好ましくは０．５〜１．５重量％、となるように添加される。０．１重量％未満ではインキの安定性が不充分となるし、逆に２．０重量％を超えるとインキ安定性への更なる効果はない上にインキ貯留部のインキ量は増え、コストも上がり好ましくない。」
（エ−６）「【００２９】水相に添加される電解質は、エマルションの安定性を高めるために添加されるものである。従って、該電解質にはエマルションの安定度向上に有効な離液順列が高いイオンで構成された電解質を添加するのがよい。離液順列の高い陰イオンは、クエン酸イオン、酒石酸イオン、硫酸イオン、酢酸イオン等であり、離液順列が高い陽イオンは、アルカリ金属イオンやアルカリ土類金層イオンであることから、ここで添加される電解質としては、少なくとも陰イオンか陽イオンの一方が前記イオンよりなる塩が好ましい。従ってここで添加される電解質としては、硫酸マグネシウム、硫酸ナトリウム、クエン酸ナトリウム、リン酸水素ナトリウム、ホウ酸ナトリウム、酢酸ナトリウム等が好ましく、その添加量は水相の０．１〜２．０重量％、好ましくは０．５〜１．５重量％である。」
（エ−７）「【００３３】
実施例１
〈油相組成〉
　着色剤　　　ファーネスカーボン　　　　　　　　　　　　　６．５部
　　　　　　　フタロシアニンブルー　　　　　　　　　　　　０．５部
　分散剤　　　アルミニウムキレート化合物　　　　　　　　　１．５部
　オイル　　　流動パラフィン　　　　　　　　　　　　　　１７．５部
　　　　　　　ヒマシ油（ヨウ素価；８６、凝固点；−１４℃）５．０部
　界面活性剤　ソルビタンセスキオレエート　　　　　　　　　４．０部
【００３４】
〈水相組成〉
　水　　　　　イオン交換水　　　　　　　　　　　　　　　５８．８部
　電解質　　　硫酸マグネシューム　　　　　　　　　　　　　１．２部
　凍結防止剤　グリセリン　　　　　　　　　　　　　　　　　５．０部」
（エ−８）「【００５４】実施例３
　下記組成の油相及び水相を調製し、実施例１と同様にして孔版印刷用Ｗ／Ｏ型エマルションインキを得た。
〈油相組成〉
　着色剤　　　ファーネスカーボン　　　　　　　　　　　　　６．５部
　　　　　　　フタロシアニンブルー　　　　　　　　　　　　０．５部
　分散剤　　　アルミニウムキレート化合物　　　　　　　　　１．５部
　オイル　　　流動パラフィン　　　　　　　　　　　　　　１７．５部
　　　　　　　ヒマシ油（ヨウ素価；８６、凝固点；−１４℃）５．０部
　界面活性剤　ソルビタンセスキオレエート　　　　　　　　　４．０部
【００５６】
〈水相組成〉
　水　　　　　イオン交換水　　　　　　　　　　　　　　　６０．０部
　凍結防止剤　グリセリン　　　　　　　　　　　　　　　　　５．０部」
（エ−９）「【００５７】〈評価〉実施例１〜３及び比較例１〜５の孔版印刷用Ｗ／Ｏ型エマルションインキについて、下記評価を行った。それらの結果を表１にまとめて示す。
…
【００６３】（ヘ）高温保存
実施例１〜３及び比較例１〜５のインキを６０℃に保存し、２ケ月経過後取り出し、インキの外観を目視した。
　○；油及び水分離なし、
　△；若干の油分離が観察されるが、実印刷上は支障なし、
　×；完全に相分離を起こし、印刷に支障をきたす状態。」
（エ−１０）「【表１】
　
　　　　　　　　　　　　　　　　　　　　　　　　　　　　　　　　　」
　                                             　　　　　
（オ）　周知文献３
　周知文献３には以下の記載がされている。
（オ−１）「【特許請求の範囲】
【請求項１】　着色材と、油溶性樹脂と、ＨＬＢ１０以下のノニオン系乳化剤とを含む油相１５〜５０重量％中に、水可溶性マグネシウム塩を含む水相８５〜５０重量％を分散させてなることを特徴とする孔版印刷用インキ。」
（オ−２）「【０００１】
【産業上の利用分野】本発明はエマルション安定性および顔料固着性に優れる孔版印刷用インキに関する。」
（オ−３）「【０００８】水可溶性マグネシウム塩は、硫酸マグネシウム、塩化マグネシウム、硝酸マグネシウム、酢酸マグネシウム、臭化マグネシウム、ヨウ化マグネシウム、およびそれらの水和物等を用いる事ができるが、衛生性、コストの点から、硫酸マグネシウムあるいは塩化マグネシウム、およびそれらの水和物が推奨される。使用に際しては、硫酸マグネシウムの７水和物、および塩化マグネシウムの６水和物が一般的である。」
（オ−４）「【０００９】油相中の着色材として、金属レーキ顔料を使用した場合、レーキ金属としてバリウム、カルシウム、等の硫酸イオンと不溶性塩を生成するものでは、硫酸マグネシウムを用いると色相の変化、結晶の発生等があり好ましくない。その場合は他の水可溶性マグネシウム塩を用いる必要がある。水可溶性マグネシウム塩の含有量は全インキを基準として、０．１〜５重量％である。０．１重量％以下では、エマルション安定性への効果が無く、５重量％以上では増量しても安定性の向上が認められない。」
（オ−５）「【００１１】
【実施例】
実施例１　
攪拌機付４つ口フラスコにヤシ油７６部、ペンタエリトリット７部、水酸化ナトリウム０．０５部を仕込み、窒素気流下で２４０℃でエステル変換反応を行い、その後イソフタル酸１７部を仕込み、さらに反応させアルキッド樹脂を得た。この樹脂５部、スピンドル油４部、♯３０モーターオイル１５部を混合し、さらにファーネスカーボンブラック５部、デカグリセリルペンタオレエート（ＨＬＢ＝３．５）４部を混合し、サンドミルで練肉し、油相とする。この油相に対しあらかじめ硫酸マグネシウム７水和物１部、グリセリン１０部、ｐ−オキシ安息香酸ブチル（防腐、防黴剤）０．２部、水５５．８部を混合した水相を除々に加えながら、ディスパーで攪拌し、孔版印刷用インキを得た。このインキは、室温半年間、４０℃１日、−１０℃１日ずつでの冷熱促進１カ月、それぞれでの保存後でも分離、粘度変化等なく、安定なものであった。またこのインキを、上質紙にバ−コ−タ−で塗布、乾燥後の色落ちを白紙でこすって確認したが、非常に少ないものであった。」
（オ−６）「【００１４】…比較例２　実施例１にて、硫酸マグネシウムを抜いて、同様にインキ化した。このインキの乾燥後の色落ちは良好であったが、室温３ヶ月、冷熱促進１週間で分離を起こしてしまった。」
　
（カ）　周知文献４
　周知文献４には以下の記載がされている。
（カ−１）「【特許請求の範囲】
【請求項１】　水相中に水不溶性着色剤を含む油中水（Ｗ／Ｏ）型エマルションインキにおいて、前記水相中に水可溶性マグネシウム塩を含有することを特徴とする孔版印刷用エマルションインキ。」
（カ−２）「【０００１】
【発明の属する技術分野】本発明は孔版印刷用エマルションインキに関し、さらに詳しくは、インキの保存安定性に優れ、かつ印刷物の印刷濃度が高く、インキの滲みや裏抜けが少なく、乾燥性が向上した孔版印刷用エマルションインキに関する。」
（カ−３）「【００１０】さらに、本発明では、水相中に水可溶性マグネシウム塩を含むので、水相中での顔料の分散安定性が高まり、エマルションの保存安定性を向上させることができる。」
（カ−４）「【００１１】かかる水可溶性マグネシウム塩としては、例えば、硫酸マグネシウム、塩化マグネシウム、硝酸マグネシウム、酢酸マグネシウム、臭化マグネシウム、ヨウ化マグネシウム、およびそれらの水和物を用いることができる。これらの内、硫酸マグネシウム、塩化マグネシウム、及びこれらの水和物が、特に顔料の分散安定性に対して効果があるので好ましく、一般的には、硫酸マグネシウム７水和物、および塩化マグネシウム６水和物が用いられる。水可溶性マグネシウム塩の添加量は、インキ全量を基準として、０．１〜１０重量％とすることができる。０．１重量％未満では顔料の分散安定性の効果が少なく、１０重量％よりも多く添加しても分散安定性の一層の向上は期待できず、経済的でない。」
（カ−５）「【００２９】実施例１　表１に示す配合により下記の方法でＷ／Ｏ型エマルションインキを調製した。…
【００３０】実施例２〜４
　表１に示す配合とした以外は実施例１と同様の方法でそれぞれ孔版印刷用エマルションインキを製造した。
【００３１】比較例１　表２に示す配合により下記の方法でＷ／Ｏ型エマルションインキを調製した。…
【００３２】比較例２　表２に示す配合とした以外は比較例１と同様の方法で孔版印刷用エマルションインキを製造した。
【００３３】比較例３　表２に示す配合により下記の方法でＷ／Ｏ型エマルションインキを調製した。…
【００３４】比較例４
表２に示す配合とした以外は比較例３と同様の方法で孔版印刷用エマルションインキを製造した。」
（カ−６）「【００３５】
【表１】
　　　　　　　　　　　　　　　　　　　　　　　　　　　　　　　　　」
（カ−７）「【００３６】
【表２】
　　　　　　　　　　　　　　　　　　　　　　　　　　　　　　　　　」
（カ−８）「【００３８】…（５）保存安定性：７０℃で６週間放置してインキの崩壊状態を目視で観察し、インキのエマルションに崩壊が発生しなかった場合を○、崩壊した場合を×で評価した。」
（カ−９）「【００３９】
【表３】
　　　　　　　　　　　　　　　　　　　　　　　　　　　　　　　　　」
（カ−１０）「【００４１】
　【発明の効果】
　本発明のＷ／Ｏ型エマルションインキは、…水相中に水可溶性マグネシウム塩を含むため、保存安定性が著しく向上する。…」
　
（３）　刊行物１に記載された発明
　刊行物１は「孔版印刷用エマルションインキ」について、具体的には、その特許請求の範囲にあるとおりの、「紫外線硬化型インキとＨＬＢ１０以下の非イオン系界面活性剤とからなる油相中に水相が微分散されてなる紫外線硬化型孔版印刷用エマルションインキ」（摘示（ア−１））及び「水相が全エマルションインキの２０〜８５重量％である請求項１記載の紫外線硬化型孔版印刷用エマルションインキ」（摘示（ア−２））である「孔版印刷用エマルションインキ」について記載するものである。
　その「孔版印刷用エマルションインキ」は、「油相中に水相が微分散した油中水型エマルションインキ」（摘示（ア−３））であり、「着色材としては、…キナクリドン顔料、等の有機顔料を使用することができる」（摘示（ア−４））こと、及び「着色材の含有量は全インキを基準として、１〜３０重量％である」（摘示（ア−４））こと、「着色材を油層成分の全部あるいは一部に添加」（摘示（ア−６）。審決注：「油層」は「油相」の誤記と認められる。）すること、さらに、「水相中にはエマルションとしての安定性を付与する目的で、必要に応じて金属塩等の電解質、水の蒸発防止剤、水の凍結防止剤を用いる事ができる」（摘示（ア−５））ことが記載されている。
　以上のことから、刊行物１には、　　　
「油相中に水相が微分散されてなる孔版印刷用油中水型エマルションインキであって、水相が全エマルションインクの２０〜８５重量％であり、油相成分に添加されたキナクリドン顔料からなる着色剤を、全インキを基準として１〜３０重量％含有し、水相中に金属塩等の電界質を含有する孔版印刷用油中水型エマルションインキ」
の発明（以下、「引用発明」という。）が記載されているといえる。
　
（４）　本件補正発明と引用発明との対比
　本件補正発明と引用発明とを対比すると、引用発明における「油相中に水相が微分散されてなる…油中水型エマルションインキ」は、「水相が全エマルションインクの２０〜８５重量％」のものであって、これは、油相１５〜８０重量％と水相８５〜２０重量％とで構成されているものといえる。そうすると、引用発明の「油相中に水相が微分散されてなる…油中水型エマルションインキであって、水相が全エマルションインクの２０〜８５重量％」は、本件補正発明の「油相１０〜９０重量％と水相９０〜１０重量％によって構成されるＷ／Ｏ型エマルション」に包含される。そして、本件補正発明における「油相成分に添加されたキナクリドン顔料からなる着色剤を、全インキを基準として１〜３０重量％含有」は、本件補正発明の「キナクリドン顔料を油相に、インキ重量に対して２〜１０重量％含有」と重複する。また、本件補正発明における「硫酸マグネシウム塩」は引用発明の「金属塩等の電界質」に包含されるものである。また、引用発明の「孔版印刷用油中水型エマルションインキ」は、本件補正発明の「孔版印刷…用Ｗ／Ｏ型エマルションインキ」い相当する。
　そうすると、本件補正発明と引用発明とは、
「油相１５〜８０重量％と水相８５〜２０重量％によって構成されるＷ／Ｏ型エマルションにおいて、キナクリドン顔料を油相に、インキ重量に対して２〜１０重量％含有し、水相に電解質を含有してなる孔版印刷用Ｗ／Ｏ型エマルションインキ」
の点において一致し、次のａ，ｂの点において相違する（以下「相違点ａ」、「相違点ｂ」という。）。
　
ａ　本件補正発明においては、キナクリドン顔料が特定の構造式のものであって、孔版印刷用Ｗ／Ｏ型エマルションインキが「紫」であるのに対し、引用発明においては、キナクリドン顔料の構造式、及び孔版印刷用Ｗ／Ｏ型エマルションインキの色が特定されていない点
ｂ　金属塩等の電界質が、本件補正発明においては、硫酸マグネシウム塩で水相重量に対して０．１〜２重量％含有するのに対して、引用発明においては電解質及びその含有量が特定されていない点
　
（５）　相違点について
（ア）　相違点ａについて
　引用発明においては、キナクリドン顔料の構造式は特定されてはいない。
　しかし、本件補正発明における特定の構造式を有するキナクリドン顔料（キナクリドン系顔料１、２及び３）は、それぞれ、色材工学の「ハンドブック」である刊行物２に、鮮明な赤紫又は鮮明な紫色の顔料であって、耐光性、耐熱性、及びエタノールを含め耐溶剤性に優れているものであること、さらに、これら顔料は印刷インキ等に用いられることが明記されている（摘示（イ−１）〜（イ−３））ような周知慣用の紫の顔料であるといえる。
　そうすると、引用発明のインクにおいて、インクに用いられ、耐光性、耐熱性及び耐アルコール性（耐エタノール性）に優れることが知られた上記特定の構造式のキナクリドン顔料を採用し紫のインキとすることは、当業者にとって格別困難なこととはいえない。
　
（イ）　相違点ｂについて
　引用発明において用いる金属塩等の電解質は、水相中に「エマルションとしての安定性を付与する目的」（摘示（ア−６））で添加されるものであり、刊行物１には、その電解質として具体的に、「塩化ナトリウム…等のナトリウム塩や、塩化マグネシウム、硝酸マグネシウム、およびそれらの水和物等」（摘示（ア−５））が例示され、また、実施例においては、「硫酸マグネシウム７水和物１．０部、グリセリン１０．０部、ｐ−オキシ安息香酸ブチル（防腐、防黴剤）０．２部、水５７．８部を混合した水相」を油相に加えるものであることが記載されている（摘示（ア−７））。この実施例における「硫酸マグネシウム７水和物」は、上記の電解質であると認められ、その水相における割合は、「部とは重量部」（摘示（ア−６））であるから、１．４重量％（＝1*100/(1+10+0.2+57.8)）と算出される。
　さらに、Ｗ／Ｏ型エマルションインクに安定性を付与するために水相に添加される電解質として、硫酸マグネシウム（又はその水和物）が好ましいことは、例えば、周知文献１ないし４に示すとおりである（摘示（ウ−３）、（エ−６）、（オ−３）、（カ−３）〜（カ−４）等参照）。そして、その添加量も、周知文献１及び２には「水相の０．１〜２．０重量％、好ましくは０．５〜１．５重量％」（摘示（ウ−３）、（エ−６））と記載されている。また、周知文献３及び４にはインキ全量を基準にして０．１〜５重量％（摘示（オ−４））及び０．１〜１０重量％（摘示（カ−４））と記載されており、実施例では水相を基準に１．５重量％（＝1*100/(1+10+0.2+55.8)　摘示（オ−５））、及び１．２〜２．４重量％（式は省略。摘示（カ−６））と算出されることから、Ｗ／Ｏ型エマルションに安定性を付与するために水相に含有させる電解質の量として水相の０．１〜２重量％程度は周知慣用の量であるといえる。
　そうすると、引用発明において、エマルションに安定性を付与するための金属塩等の電解質を硫酸マグネシウム（塩）とし、その含有量を水相重量に対して０．１〜２重量％とすることは当業者が容易になし得ることである。
　
（６）　本件補正発明の効果について
　本件補正発明の効果について本件補正明細書の【発明の効果】（段落【００６６】）の欄には、「請求項１の孔版印刷紫用Ｗ／Ｏ型エマルションインキは、主着色剤として前記した顔料を油相あるいは水相に含有するものとしたことから、保存安定性に優れ、しかも印刷物において、耐水、耐アルコール性に優れたものである。」と記載されている。
　しかしながら、顔料は、染料に比し印刷物において耐水性が優れることは本出願前周知のことであり、本件補正発明において用いられている特定の構造のキナクリドン顔料は、耐エタノール性（耐アルコール性）に優れることも刊行物２に記載されているとおりである。
　そうすると、本件補正発明が、印刷物において、耐水、耐アルコール性に優れたものであることは刊行物１、２及び周知技術から予期し得ることであり、その程度が本件補正発明において予期以上の顕著なものであると認めることもできない。
　また、上記「保存安定性に優れ」るとは、実施例において「高温（６０℃）保存性はエマルションの安定性を示す。」（段落【００６３】）との記載からみて、室温以上の高温における保存安定性に優れることをいうと認められる。
　ところで、引用発明のインキは「エマルションとしての安定性を付与する目的で」金属塩等の電解質が水相中に添加されるものである。そのインキの「エマルションとしての安定性」とは、周知文献１〜４において、エマルションインキの保存安定性として、インキの６０℃で２ヶ月保存後の安定性（摘示（ウ−５）、（エ−９）、（エ−１０））、４０℃１日、−１０℃１日ずつでの冷熱促進１ヶ月後の安定性（摘示（オ−５））、７０℃で６週間放置後の安定性（摘示（カ−８）、（カ−９））が評価されていることからみて、高温における保存安定性をいうと認められるから、引用発明のインキにおける金属塩等の電解質が水相中に添加されて付与される「エマルションとしての安定性」は、高温における保存安定性もいうと認められる。
　そうすると、引用発明のインキにおいても金属塩等の電解質として「保存安定性が著しく向上する」（摘示（カ−１０））とされる硫酸マグネシウムの添加により「エマルションとしての安定性」、すなわち、高温における良好な保存安定性が付与されることは当業者が予期し得ることである。そして、その程度が本件補正発明において予期以上の顕著なものであると認めることもできない。
　よって、本件補正発明の効果は格別顕著なものということはできない。
　
（７）　独立特許要件についてのまとめ
　以上のとおり、引用発明に相違点ａ、ｂに係る本件補正発明の構成を適用することは当業者が容易になし得たものであり、また、本件補正発明が格別顕著な効果を奏するものともいえないから、本件補正発明は、刊行物１及び２並びに周知技術から当業者が容易に発明をすることができたものであって特許法第２９条第２項の規定により特許を受けることができないものである。
　よって、本件補正発明は、特許出願の際独立して特許を受けることができるものではないから、請求項１についての補正は、平成１８年改正前特許法第１７条の２第５項において準用する同法第１２６条第５項の規定に違反する。
　
４　補正の却下の決定についてのむすび
　以上のとおりであるから、上記補正を含む本件補正は、平成１８年改正前特許法第１５９条第１項において読み替えて準用する同法第５３条第１項の規定により却下すべきものである。
　
第３　本願発明
　平成２０年１１月１８日付けの手続補正は上記のとおり却下されたので、この出願に係る発明は、平成２０年５月１２日で手続補正された特許請求の範囲に記載された、前記「第２　１」に記載されたとおりのものと認める。
　
第４　原査定の拒絶の理由の概要
　原査定は、「この出願については、平成２０年　３月２１日付け拒絶理由通知書に記載した理由によって、拒絶をすべきものです。」というものである。その「理由」の概要は、「本願請求項１、２に係る発明は、文献１〜６に記載された発明に基いて、当業者が容易に発明をすることができたものである」と、全請求項に係る発明について特許法第２９条第２項の規定により特許を受けることができない、というものである。その文献２は、特開平８−３５０１号公報（前記「第２　１」の刊行物１）、文献６は、（社）色材協会編集「色材工学ハンドブック」第３８５頁、第３９３頁、第４０２頁（株式会社　朝倉書店　初版第１刷　１９８９年１１月２５日発行　同刊行物２）である。
      　
第５　当審の判断
　当審は、原査定の理由のとおり、本願発明は、刊行物１、２に記載された発明に基づいて、当業者が容易に発明をすることができたものである、と判断する。
　
（１） 刊行物の記載事項、周知文献、刊行物１に記載された発明
　刊行物１及び２の記載事項は、前記「第２　３（１）」のとおりであり、周知文献及びその記載事項は「第２　３（２）」のとおりである。
　そして、刊行物１には「第２　３（３）」に記載したとおりの発明が記載されている。
　
（２）　対比・判断
　本願発明は、前記「第２　３」で検討した本件補正発明に、顔料の選択成分として特定の構造式で表される「ナフトールＡＳ系アゾ顔料」を付加し、本件補正発明の発明における特定の構造式で表される「キナクリドン顔料」について、選択肢として水相中に含有する発明を付加し、キナクリドン顔料の限定条件である、「インキ重量に対して２〜１０重量％含有」するという含有量についての限定を省いたものに相当する。
　そうすると、本願発明の構成要件を全て含み、さらに他の構成要件を付加したものに相当する本件補正発明が、前記「第２　３（５）」に記載したとおり、刊行物１及び２に記載された発明、及び周知技術に基づいて当業者が容易に発明をすることができたものであるから、同様の理由により、本願発明も、刊行物１及び２に記載された発明、及び周知技術に基づいて当業者が容易に発明することができたものであるといえ、特許法第２９条第２項の規定により特許を受けることができないものといえる。
　
第６　むすび
　以上のとおり、本願発明は特許法第２９条第２項の規定により特許を受けることができないものであるから、この出願は、拒絶すべきものである。
　よって、結論のとおり審決する。